(57)【要約】【課題】水路のゲート等の動力設備の操作装置の保守、点検、復旧、交換等を容易にする。【解決手段】複数の動力設備１の各々を別個に操作可能な操作装置２０であって、電源端子２１、負荷端子２２および電源端子２１と負荷端子２２との間に接続されている動力設備１の動作制御手段と動力設備１の操作状態を示す表示手段とを備え、電源端子２１は動力設備１の電源端子１１ａに接続可能であり、負荷端子２２は動力設備１のモータ端子１２ａに接続可能である。【選択図】        図２
2004353191.tif 000002
【特許請求の範囲】
【請求項１】
複数の動力設備の各々を別個に操作可能な操作装置であって、
電源端子、負荷端子および前記電源端子と前記負荷端子との間に接続されている動力設備の動作制御手段と動力設備の操作状態を示す表示手段とを備え、
前記電源端子は前記動力設備側に設けられている電源に接続可能であり、前記負荷端子は前記動力設備の動力源に接続可能であることを特徴とする動力設備の操作装置。
【請求項２】
請求項１に記載した動力設備の操作装置であって、
前記電源端子と負荷端子間に動力設備の電気的保護手段を備えていることを特徴とする動力設備の操作装置。
【請求項３】
請求項１または２に記載した動力設備の操作装置であって、
前記動力設備の動作制御手段のセンサ入力端子を備え、このセンサ入力端子は前記動力設備の動作状態を検出するセンサの出力端子に接続可能であり、前記動力設備の動作制御手段が前記センサの出力に基づいて前記動力設備を制御可能であることを特徴とする動力設備の操作装置。
【発明の詳細な説明】
【０００１】
【発明の属する技術分野】
本発明は、動力設備の操作装置に関し、特に水路のゲート等を開閉する動力設備の操作装置に関するものである。
【０００２】
【従来の技術】
通常、水路のゲートの開閉、バルブ、ポンプの操作等に使用される動力設備はモータを動力源としている。この動力設備を運転操作する場合には、操作員が動力設備の設置個所に出向し、動力設備と同位置あるいはその近傍に設置してある操作手段を有する操作盤で操作している。（例えば特許文献１）
【０００３】
【特許文献１】特開平９−２１７３３４号公報
【０００４】
【発明が解決しようとする課題】
しかし、上記従来例では、動力設備が複数の個所に分散して設置されている場合、かかる操作盤は動力設備のそれぞれに設置されているので、操作盤の設置数が多くなる。このため、各操作盤の劣化、故障等のときに、これの交換、復旧等に多大な費用を要するとともに、各操作盤の点検・保守に際しても多大な費用と労力が必要となるという問題があった。
そこで、本発明が解決しようとする課題は、上記動力設備の操作手段の保守、点検、復旧、交換等を容易にすることである。
【０００５】
【課題を解決するための手段】
本発明は、かかる動力設備が操作員の現地への出向の都度操作されることに着目してなされたものであり、上記課題を解決するため、請求項１記載の発明は、複数の動力設備の各々を別個に操作可能な操作装置であって、電源端子、負荷端子および前記電源端子と前記負荷端子との間に接続されている動力設備の動作制御手段と動力設備の操作状態を示す表示手段とを備え、前記電源端子は前記動力設備側に設けられている電源に接続可能であり、前記負荷端子は前記動力設備の動力源に接続可能であることを特徴とする動力設備の操作装置である。
これにより、複数の動力設備の各々を別個に操作可能な操作装置の電源端子を前記動力設備側に設けられている電源に接続し、前記操作装置の負荷端子を前記動力設備の動力源に接続することにより、操作装置の動力設備の動作制御手段が前記動力設備の動力源を制御し、操作装置の表示手段が前記動力設備の操作状態を示すことができる。
【０００６】
さらに、請求項２記載の発明は、請求項１に記載した発明において、前記電源端子と負荷端子間に動力設備の電気的保護手段（例えば過負荷に対する保護リレー）を備えていることである。
これにより、動力設備の動力源（例えばモータ）を保護をすることができる。
【０００７】
さらに、請求項３記載の発明は、請求項１または２に記載した発明において、前記動力設備の動作制御手段のセンサ入力端子を備え、このセンサ入力端子は前記動力設備の動作状態を検出するセンサの出力端子に接続可能であり、前記動力設備の動作制御手段が前記センサの出力に基づいて前記動力設備を制御可能であることである。
これにより、前記動力設備の動作制御手段のセンサ入力端子を前記動力設備の動作状態を検出するセンサの出力端子に接続すると、前記動力設備の動作制御手段が前記センサの出力に基づいて前記動力設備を制御する。
【０００８】
【発明の実施の形態】
以下、本発明における実施の形態を図面に基づいて説明する。図１は本発明の実施の形態に係る動力設備の操作装置の設置状態を示し、図２は前記動力設備の構成を示し、図３は前記動力設備の操作装置の回路ブロックを示す。
【０００９】
図１に示すように、水路３０の水門３１を開閉する水門扉３２が設けられている。水門扉３２は、スピンドル３３ａで吊り下げられている。このスピンドル３３ａの側面には螺旋状ネジが形成されているので、この螺旋状ネジを利用してスピンドル３３ａを上下させることにより水門扉３２を上下させて水門３１を開閉することができる巻上機３３が水路３０の縁部上に配設されている。
動力設備１はモータ１２を動力源とする巻上機３３と水路３０の近傍に設置されている残置盤１０とを備えており、巻上機３３の運転の際には残置盤１０と可搬式の操作装置２０を接続して運転操作がなされる。
【００１０】
図２に示すように、動力設備１の残置盤１０は、三相２００ボルトの動力設備側に設けられている商用電源１１に接続され、この商用電源１１を操作装置２０に接続する電源端子１１ａを備えている。さらに、残置盤１０には、巻上機３３の動力源となるモータ１２の駆動制御をするため、このモータ１２を操作装置２０に接続するモータ端子１２ａを備えている。さらに、残置盤１０には、水門扉３２の位置を検出する水門内センサ３６を操作装置２０に接続するセンサ端子１３を備えている。
【００１１】
可搬式の操作装置２０は、分散して設置されている複数台の動力設備１に対して共用のものとされ、残置盤１０に接続して各々を必要の都度別個に操作可能であり、電源端子２１、負荷端子２２および電源端子２１と負荷端子２２との間に接続されている動力設備１の動作制御手段２３と動力設備１の操作状態を示す表示手段２４を備えている。前記電源端子２１は残置盤１０の電源端子１１ａに接続可能であり、負荷端子２２は残置盤１０のモータ端子１２ａに接続可能である。動作制御手段２３は、モータ１２を駆動する動力用主回路２３ａ、モータ１２の正転、逆転、停止等を行うために動力用主回路２３ａを制御する制御回路２３ｂおよび制御回路２３ｂを手動操作する手動操作部２３ｃを備えている。また、表示手段２４は、表示回路２４ａおよび表示回路２４ａで制御される表示部２４ｂを備えている。表示部２４ｂは操作装置２０の図示しない筐体に取り付けられている。
【００１２】
さらに、図３に示すように、操作装置２０は電源端子２１と負荷端子２２との間に接続された動力設備１の電気的保護手段２５を備えている。電気的保護手段２５は、モータ１２の電子式保護リレーであり、モータ１２に加わる三相２００ボルト電源の欠相、反相、過電流を検出したときに、モータ１２に三相２００ボルト電源が加わらないようにしてモータ１２を保護する装置である。
さらに、操作装置２０は、動作制御手段２３のセンサ入力端子２６を備え、このセンサ入力端子２６は動力設備１の動作状態、例えば巻上機３３の巻上停止位置等を検出するセンサ端子１３に接続可能であり、動作制御手段２３がセンサ端子１３の出力に基づいて動力設備１を制御可能である。
【００１３】
以上の構成の動力設備１の操作装置２０は、以下のように動作する。
操作装置２０の電源端子２１を残置盤１０の電源端子１１ａに接続し、操作装置２０の負荷端子２２を残置盤１０のモータ端子１２ａに接続することにより、操作装置２０の動作制御手段２３が動力設備１の動力源となるモータ１２を制御し、モータ１２が巻上機３３を駆動し、巻上機３３が水門扉３２により水門３１を開閉することができる。また、表示手段２４が動力設備１の操作状態を示すことができる。
さらに、電気的保護手段２５がモータ１２を保護することができる。
さらに、動作制御手段２３のセンサ入力端子２６を残置盤１０のセンサ端子１３に接続すると、動作制御手段２３がセンサ端子１３の出力に基づいてモータ１２を制御する。
さらに、操作装置２０が残置盤１０と別個になっているので、動力設備１が設置された現場からその操作機能が取り除かれるため、部外者による不当操作を排除するというセキュリティ機能を持つことができる。
【００１４】
なお、上述のように巻上機３３の動作により水門扉３２が引き上げられて、水門３１が開いているときは、水路３０内を流れる水３５はその水面３５ａより低い位置にある水門３１から放水路３４に流れ落ちる。
【００１５】
なお、上記実施の形態において、電気的保護手段２５は、モータ１２の容量に応じてその部品を交換することにより、異なる容量のモータ１２に対応することができる。
【００１６】
また、ここで、水路のゲートの動力設備について本発明を説明したが、本発明による操作装置は、例えばバルブ、ポンプなど操作員の現地への出向の都度操作される動力設備全般に適用可能である。
【００１７】
【発明の効果】
請求項１記載の発明によれば、複数の動力設備に対しその操作手段を共用化し可搬式とすることにより、動力設備の操作手段が動力設備毎に分散して設置された従来の形式のものより劣化更新や保守点検が著しく容易になるとともに、動力設備側には主として動力回路のみが設置された残置盤のみが設置されることになるので、動力設備の保守、点検、更新および交換が著しく容易になる。
さらに、請求項２記載の発明によれば、請求項１記載の発明の効果とともに、動力設備を電気的に保護することができる。
さらに、請求項３記載の発明によれば、請求項１または２記載の発明の効果とともに、動力設備の動作制御手段が水門扉等に設置されたセンサの出力に基づいて前記動力設備を制御するので、水門扉等を円滑に動作させることができる。
【図面の簡単な説明】
【図１】本発明の実施の形態に係る動力設備の操作装置の設置状態を示す説明図である。
【図２】前記動力設備の構成を示すブロック図である。
【図３】前記動力設備の操作装置の回路ブロック図である。
【符号の説明】
１  動力設備
１０  残置盤
２０  操作装置
２１  電源端子
２２  負荷端子
２３  動作制御手段
２４  表示手段
２５  電気的保護手段
２６  センサ入力端子
【図１】
2004353191.tif 000003
【図２】
2004353191.tif 000004
【図３】
2004353191.tif 000005